(57)【要約】【課題】設計の自由度を高めることができる水栓を提供する。【解決手段】  水栓本体１０に設けられる内部流路１２が、給水流路１３の外側に略環状若しくは略枠状の吐水流路１５を設けてなる二重構造の流路断面を具備する流路端部１８を有する。流路端部１８に、給水流路１２に連通する流入口（開口部５１ａ）と吐水流路１５に連通する流出口（開口孔５１ｍ）を有するとともに、流入口と流出口とに連通する流路（５３ｃ及び５５ｃ）を開閉する開閉弁５０を装着してなる。【選択図】      図２
2006037582.tif 000002
【特許請求の範囲】
【請求項１】
水栓本体に設けられる内部流路が、給水流路の外側に略環状若しくは略枠状の吐水流路を設けてなる二重構造の流路断面を具備する流路端部を有し、
該流路端部に、前記給水流路に連通する流入口と前記吐水流路に連通する流出口を有するとともに、前記流入口と前記流出口とに連通する流路を開閉する開閉弁を装着してなることを特徴とする水栓。
【請求項２】
前記水栓本体が、第１の筒状部と、該第１の筒状部に遊入される第２の筒状部とを備えると共に、
前記給水流路が前記第２の筒状部の内部空間を含む構成とされ、前記吐水流路が前記第１の筒状部と前記第２の筒状部との間の空間を含む構成とされることを特徴とする請求項１に記載の水栓。
【請求項３】
弁配置部位の一次側に設けられる一次側流路及び該弁配置部位の二次側に設けられる二次側流路を具備する内部流路を有する水栓本体と、
前記弁配置部位に配置されると共に、前記一次側流路及び前記二次側流路の連通と遮断とを選択するための開閉弁と、を備え、
前記一次側流路及び前記二次側流路のうちの一方が、前記一次側流路及び前記二次側流路のうちの他方の外側を抱囲して構成される二重構造の流路断面を、前記内部流路が具備することを特徴とする水栓。
【請求項４】
前記二重構造の流路断面は、前記一次側流路及び前記二次側流路のうちの一方が、略環状、略枠状、略円弧状、略コの字状、略Ｃの字状、略Ｕ字状、若しくは、略Ｖ字状とされつつ、前記一次側流路及び前記二次側流路のうちの他方の外側を抱囲して構成されることを特徴とする請求項３に記載の水栓。
【請求項５】
前記水栓本体が、第１の筒状部と、該第１の筒状部に遊入される第２の筒状部とを備えると共に、
前記一次側流路及び前記二次側流路のうちの一方が、前記第２の筒状部の内部空間を含む構成とされ、前記一次側流路及び前記二次側流路のうちの他方が、前記第１の筒状部と前記第２の筒状部との間の空間を含む構成とされることを特徴とする請求項３又は請求項４の何れかに記載の水栓。
【請求項６】
前記開閉弁が固定ディスクと可動ディスクとを備える摺動弁であることを特徴とする請求項１乃至請求項５の何れかに記載の水栓。
【発明の詳細な説明】
【技術分野】
【０００１】
本発明は、水栓に関し、具体的には、設計の自由度を高めることができる水栓に関する。
【背景技術】
【０００２】
水栓は、通常、元配管の端末部（水道配管の端末部や、給湯用配管の端末部）に接続される水栓本体と、この水栓本体に接続されるか、この水栓本体の一部を構成する吐水手段（例えば、カラン吐水手段、シャワー吐水手段）とを備えている。この水栓本体は、開閉弁や温度調節用の弁を内蔵する「水栓の本体部分」であって、開閉弁が配置される弁配置部位を備えると共に、この弁配置部位を挟む状態で内部流路を備えている。
【０００３】
かかる内部流路は、弁配置部位の一次側（上流側）に設けられる一次側流路（例えば、給水流路）と、弁配置部位の二次側（下流側）に設けられる二次側流路（例えば、吐水流路と、を備えるのが一般的である（特許文献１の図７を参照）。
【特許文献１】特開２００１−８１８１９号公報
【発明の開示】
【発明が解決しようとする課題】
【０００４】
このような水栓では、内部流路の構成が原因となり、水栓本体、ひいては、水栓の設計の自由度を高めることが困難な場合があると考えられる。即ち、水栓本体の外観や吐水手段の設置位置は、操作部（操作ハンドルや操作レバー）の外観や吐水手段の外観と共に水栓全体の意匠性を大きく左右する要素となり得る。このため、水栓のデザイン選択、ひいては、設計の自由度を高めるために、この水栓本体の外観や、吐水手段の設置位置の選択の自由度を高めることが要請されるが、この自由度を高めることが困難な場合があると考えられる。
【０００５】
例えば、図８（ａ）は、水栓本体１０の下方に到達した元配管の端末部から給水を受けるタイプの水栓１を図示している。そして、本出願人は、かかるタイプの水栓１において、例えば、（１）「水栓本体１０をより縦長でスマートな外観に構成するという要請」と、（２）「開閉弁５０の操作部（レバーやハンドル等）をより上方に配置するという要請」と、（３）「吐水手段７０の突出箇所をより下方側に配置するという要請」とを同時に満足させることで、より斬新な外観が得られると考え、以下のような検討を行った。
【０００６】
先ず、前記（２）及び（３）の要請を満足させるためには、弁配置部位１１を水栓本体１０の上端側に設けると共に、吐水手段７０の突出位置（設置位置）を水栓本体１０のより下方側（つまり、弁配置部位１１よりもはるかに下方）とすることが必要となり、内部流路１２を以下のように構成することが必要となる。即ち、図８（ａ）に示すように、給水流路１３を水栓本体１０の下端側から弁配置部位１１に向かって上昇する状態に設けると共に、吐水流路１５を弁配置部位１１から水栓本体１０の下端側若しくは上下方向中間部に下降させる状態に設けることが必要である。換言すると、内部流路１２を、水栓本体１０の下端側から配置部位１１に向かって上昇する給水流路１３と、配置部位１１から水栓本体１０の下方側（給水流路１３の１次側）に逆行する吐水流路１５（以下、「逆行型の吐水流路」という。）とを備えた構成とすることが必要である。
【０００７】
ところが、吐水流路１５を逆行型に構成する場合には、図８（ｂ）に示すように、円形の流路断面（経路方向に直交する横断面）を備える給水流路１３と、円形の流路断面を備える吐水流路１５と、を相互に干渉しない状態で水栓本体１０に内蔵することが必要となる。つまり、水栓本体１０の横断面（給水流路１３及び吐水流路１５の経路方向に直交する横断面）を十分なサイズとし、水栓本体１０内に、相互に干渉しない給水流路１３と吐水流路１５とを略平行な状態等で併存させることが必要となる。このため、水栓本体１０を太くせざるを得なくなり、前記（１）の要請（「水栓本体１０をより縦長でスマートな外観に構成するという要請」）を満足させることができない。。
【０００８】
一方、水栓１の設計者や製造者等が、仮に、前記（１）の要請（「水栓本体１０をより縦長でスマートな外観に構成するという要請」）に固執するならば、例えば、図９に示すように、「逆行型の吐水流路１５」の形成を取り止め、例えば、弁配置部位１１の側方から吐水手段７０を突出させること等が必要となる。つまり、前記（１）の要請を満足されるために、吐水手段７０の設置位置を譲歩し、前記（３）の要請（「吐水手段７０の突出箇所をより下方側に配置するという要請」）を諦めることが必要となる。
【０００９】
このように、この具体例に示す水栓１では、設計上の複数の要請事項を同時に満足させることができず、水栓１の設計者や製造者、及び消費者等が「真に欲する意匠性」を備える水栓が得られない場合があると考えられる。
【００１０】
本発明は、上述の課題を解決するものであり、設計の自由度を高めることができる水栓を提供すること目的とする。
【課題を解決するための手段】
【００１１】
請求項１の発明の水栓は、
水栓本体に設けられる内部流路が、給水流路の外側に略環状若しくは略枠状の吐水流路を設けてなる二重構造の流路断面を具備する流路端部を有し、
該流路端部に、前記給水流路に連通する流入口と前記吐水流路に連通する流出口を有するとともに、前記流入口と前記流出口とに連通する流路を開閉する開閉弁を装着してなることを特徴とする。
【００１２】
請求項１の発明によると、例えば、給水流路と、逆行型の吐水流路（給水流路の１次側に逆行する吐水流路）とを備える内部流路を有する水栓において、設計の自由度を高めることができる。つまり、請求項１の発明では、内部流路のうちで「流路の折り返し部分」を構成する流路端部（つまり、給水流路の２次側の端部と、吐水流路の１次側の端部とで構成される流路端部）の流路断面を二重構造とする。このため、水栓本体の所定の横断面に対して、給水流路の二次側の端部と、吐水流路の１次側の端部とを併存させつつも、この横断面の面積（太さ）の選択の自由度を高めることができる。
【００１３】
蓋し、請求項１の発明に従って、「逆行型の吐水流路を給水流路の外側に略環状若しくは略枠状に設ける態様」よると、「水栓本体の横断面積を抑制しつつも吐水流路の流路断面の面積を確保すること」が、「逆行型の吐水流路を単に併設する態様（例えば、前述の図８の具体例に示す態様であって、吐水流路と給水流路とが相互に離間し、何れも他方を抱囲しない態様を指す。）」に比べて容易である。このため、請求項１の発明によると、水栓本体に「逆行型の吐水流路」を形成しつつ、水栓本体の横断面積を抑制し、水栓本体を細くスマートな外形とすることができる。但し、請求項１の発明は、敢えて、水栓本体の横断面積を抑制せずに、水栓本体を太くすることを排除するものではない。
【００１４】
このように、請求項１の発明によると、水栓本体に「逆行型の吐水流路」を形成しつつも、水栓本体のサイズ（横断面積）の選択の自由度が高められる。このため、請求項１の発明によると、水栓の設計の自由度を高めることができる。
【００１５】
ここで、請求項１の発明において、「流路断面」とは、流路（給水流路及び吐水流路）の経路方向に直交する断面（以下、「横断面」と称する。）を指す。そして、流路端部の「流路断面」は、例えば、給水流路の横断面部（例えば、略円形状、略楕円形状、三角形状、若しくは、多角形状等に構成される横断面部）の外側を、隔壁の横断面部（例えば、略円環状、略枠状等に構成される横断面部）を挟んで、吐水流路の略環状若しくは略枠状に構成される横断面部が取り囲む構成となる。
【００１６】
請求項１の発明の水栓本体において、「二重構造の流路断面を具備する部分」は、「前記流路端部が形成される部位」のみに設けられてもよいが、水栓本体における広範囲の部位（前記流路端部が形成される部位を含むより広範囲の部位）に設けられてもよい。具体的には、水栓本体において、「給水流路と、逆行型の吐水流路とが併設される部位（例えば、略平行に並ぶ部位）の略全域」が、「二重構造の流路断面を具備する部分」とされてもよい。
【００１７】
請求項２の発明の水栓は、請求項１に記載の水栓において、
前記水栓本体が、第１の筒状部と、該第１の筒状部に遊入される第２の筒状部とを備えると共に、
前記給水流路が前記第２の筒状部の内部空間を含む構成とされ、前記吐水流路が前記第１の筒状部と前記第２の筒状部との間の空間を含む構成とされることを特徴とする。
【００１８】
請求項２の発明は、別体の筒状部（第１の筒状部及び第２筒状部）を利用して、前記「二重構造の流路断面を具備する部分」を構成することで、水栓の設計の自由度を更に高めることを意図する。即ち、請求項１の発明では、「鋳物等の一体品」で水栓本体を構成することもできるが、請求項２の発明のように、別体の筒状部を用いて水栓本体を構成すると、水栓本体の設計の自由度が更に高められる。
【００１９】
つまり、前記「二重構造の流路断面を具備する部分」を有する水栓本体を、「鋳物の一体品」で構成する場合、水栓本体の外郭側の壁部（外郭壁）や、内部壁の肉厚をある程度維持することが必要となる。蓋し、「二重構造の流路断面を具備する部分」では、二重構造の壁部（外郭壁及び内部壁）を備える複雑な壁部構造を備えるが、このような複雑な壁部構造を備える部分を、鋳物によって一体成形しようとするならば、その成形上の制約より、壁部（外郭壁及び内部壁）の肉厚をある程度維持することが必要であるからである。尚、水栓本体を長尺状に形成し、前記「複雑な壁部構造を備える部分」も長尺状となる場合には、壁部（外郭壁及び内部壁）の肉厚を特に十分なものとすることが必要となる。
【００２０】
一方、別体の筒状部を利用すると、「壁部（外郭壁及び内部壁）が二重構造となる部分」を、一体成形で作成しないため、当該部分を構成する壁部の肉厚を、前述の「一体成形による場合」に比べて薄くすることができるからである。特に、請求項２の発明によると、「二重構造の流路断面を具備する部分」を有し、複雑な流路構成（複雑な壁部構成）を備える水栓本体を、機械加工（切削加工）に依存して作成することができる点で大きな意義を有する。即ち、切削加工に依存して作製する場合には、鋳造（鋳物）に依存して作成する場合に比べて、肉厚を薄くできると共に、水栓本体の作製も容易である。
【００２１】
尚、請求項２の発明では、給水流路を、第２筒状部の内部空間のみによって構成しても、第２筒状部の内部空間と他の空間部分（例えば、第１の筒状部に遊入されず、第１の筒状部から突出する状態に配置される筒状部の内部空間）とで構成してもよい。同様に、吐水流路を、前記第１の筒状部と前記第２筒状部との間の空間のみによって構成しても、この空間と他の空間部分（例えば、第２の筒状部が遊入されない筒状部の内部空間）とで構成してもよい。
【００２２】
請求項３の発明の水栓は、
弁配置部位の一次側に設けられる一次側流路及び該弁配置部位の二次側に設けられる二次側流路を具備する内部流路を有する水栓本体と、
前記弁配置部位に配置されると共に、前記一次側流路及び前記二次側流路の連通と遮断とを選択するための開閉弁と、を備え、
前記一次側流路及び前記二次側流路のうちの一方が、前記一次側流路及び前記二次側流路のうちの他方の外側を抱囲して構成される二重構造の流路断面を、前記内部流路が具備することを特徴とする。
【００２３】
請求項３の発明によると、例えば、一次側流路と、逆行型の二次側流路（一次側流路の１次側に逆行する二次側流路）とを備える内部流路を有する水栓において、設計の自由度を高めることができる。つまり、請求項３の発明においても、例えば、内部流路において「流路の折り返し部分」を構成する流路端部（つまり、一次側流路の２次側の端部と、二次側流路の１次側の端部とで構成される流路端部）の流路断面を二重構造とする。そして、水栓本体の所定の横断面に対して、一次側流路の二次側の端部と、二次側流路の１次側の端部とを併存させつつも、この横断面の面積（太さ）の選択の自由度を高めることができる。
【００２４】
このため、請求項３の発明によると、例えば、水栓本体に「逆行型の二次側流路」を形成しつつ、水栓本体の横断面積を抑制し、水栓本体を細くスマートな外形とすることができる。但し、請求項３の発明も、敢えて、水栓本体の横断面積を抑制せずに、水栓本体を太くする態様を排除するものではない。ここで、請求項３の発明において、「前記一次側流路及び前記二次側流路のうちの一方」が、「前記一次側流路及び前記二次側流路のうちの他方の外側を抱囲」するとは、以下の場合を指す。例えば、特に好ましい態様として、「〜一方」が「〜他方」の外縁部の全体（１００％）を抱囲する態様を例示できる。また、「〜一方」が「〜他方」の外縁部の「３０％以上〜１００％未満」から選択される所望の範囲を抱囲する態様を例示することもできる。
【００２５】
請求項３の発明の「流路断面」も、流路（一次側流路及び二次側流路の経路方向に直交する断面、つまり、横断面）を指す。また、請求項３の発明の水栓本体においても、「二重構造の流路断面を具備する部分」は、「流路端部（一次側流路の二次側端部と、二次側流路の一次側端部で構成される流路端部）が形成される部位」のみに設けられてもよいが、水栓本体における広範囲の部位（前記流路端部が形成される部位を含むか否かに係わらず、より広範囲の部位）に設けられてもよい。具体的には、水栓本体において、「一次側流路と、逆行型の二次側流路とが併設される部位（例えば、略平行に並ぶ部位）の略全域」が、「二重構造の流路断面を具備する部分」とされてもよい。また、請求項３の発明の水栓本体においては、「二重構造の流路断面を具備する部分」を、「流路端部」以外の部位のみに設けてもよい。
【００２６】
請求項３の発明においては、一次側流路及び二次側流路のうちの何れを内側に配置してもよい。また、一次側流路の数は１つであっても、複数であってもよい。例えば、一次側流路として、給水用の流路（例えば、水道配管の端末部から水栓本体に供給される水をそのまま給水するための流路）、及び、給湯用の流路（例えば、水道配管の端末からそのまま供給されるのではなく、一旦、所望温度に温められて温水若しくは熱水とされた後に供給された水を、給水するための流路）、のうちの一方を備えたり、双方を備えてもよい。尚、一次側流路を給水用の流路と給湯用の流路とで構成する場合、開閉弁が、給水用の流路から供給される水と、給湯用の流路から供給される湯とを混合する混合弁としての機能を備えてもよい。若しくは、弁配置部位の一次側に他の弁配置部位を設け、この他の弁配置部位に別途、混合弁を配置してもよい。
【００２７】
請求項３の発明においては、二次側流路の数は１つであっても、複数であってもよい。つまり、二次側流路として、１つの吐水流路を備えてもよいし、複数の吐水流路を備えてもよい。尚、前者の態様としては、吐水流路として、カラン吐水用の吐水流路若しくはシャワー吐水用の吐水流路を備える態様を例示でき、後者の態様としては、吐水流路として、カラン吐水用の吐水流路及びシャワー吐水用の吐水流路を備えたり、吐水用の吐水流路及びシャワー吐水用の吐水流路のうちの一方を複数備える場合等を例示できる。また、二次側流路を複数備える態様では、開閉弁が、何れの吐水流路を用いて吐水を行うかを選択するための「流路切換弁」として機能を備えてもよい。
【００２８】
請求項４の発明の水栓は、請求項３に記載の水栓において、
前記二重構造の流路断面は、前記一次側流路及び前記二次側流路のうちの一方が、略環状、略枠状、略円弧状、略コの字状、略Ｃの字状、略Ｕ字状、若しくは、略Ｖ字状とされつつ、前記一次側流路及び前記二次側流路のうちの他方の外側を抱囲して構成されることを特徴とする。
【００２９】
請求項４の発明では、請求項３の発明に示す「二重構造の流路断面」の具体例を示している。つまり、前述の如く、請求項３の発明において、「二重構造の流路断面」の態様は、外側に配置される流路（一次側流路及び二次側流路のうちの一方）が、内側に配置される流路（一次側流路及び二次側流路のうちの他方）を完全に取り囲む状態となる態様に限定されない。つまり、内側に配置される流路のうちの周方向に沿った一部に、外側に配置される流路で取り囲まれない部分が存在する態様であってもよい。そして、請求項４の発明は、これらの態様の具体例を示している。尚、外側に配置される流路（一次側流路及び二次側流路のうちの一方）を略円弧状とする場合には、その中心角を１２０度以上で、３６０度未満の範囲から選択されることが好ましい。
【００３０】
請求項４の発明の「二重構造の流路断面」としては、例えば、内側に配置される流路（一次側流路及び二次側流路のうちの他方）の横断面部（例えば、略円形状、略楕円形状、三角形状、若しくは、多角形状等に構成される横断面部）の外側を、隔壁の横断面部（例えば、略円環状、略枠状等に構成される横断面部）を挟んで、外側に配置される流路（一次側流路及び二次側流路のうちの一方）の横断面部（略環状、略枠状、略円弧状、略コの字状、略Ｃの字状、略Ｕ字状、若しくは、略Ｖ字状に構成される横断面部）が抱囲する構成を例示できる。
【００３１】
請求項５の発明の水栓は、請求項３又は請求項４の何れかに記載の水栓において、
前記水栓本体が、第１の筒状部と、該第１の筒状部に遊入される第２の筒状部とを備えると共に、
前記一次側流路及び前記二次側流路のうちの一方が、前記第２の筒状部の内部空間を含む構成とされ、前記一次側流路及び前記二次側流路のうちの他方が、前記第１の筒状部と前記第２の筒状部との間の空間を含む構成とされることを特徴とする。
【００３２】
請求項５の発明においても、請求項２の発明と同様に、別体の筒状部を利用して、水栓本体における「二重構造の流路断面を具備する部分」を構成することで、水栓の設計の自由度を更に高めることを意図する。尚、請求項５の発明では、一次側流路及び二次側流路のうちの一方を、第２筒状部の内部空間のみによって構成しても、第２筒状部の内部空間と他の空間部分（例えば、第１の筒状部に遊入されず、第１の筒状部から突出する状態に配置される筒状部の内部空間）とで構成してもよい。同様に、一次側流路及び二次側流路のうちの他方を、前記第１の筒状部と前記第２筒状部との間の空間のみによって構成しても、この空間と他の空間部分（例えば、第２の筒状部が遊入されない筒状部の内部空間）とで構成してもよい。
【００３３】
請求項６の発明の水栓は、請求項１乃至請求項５の何れかに記載の水栓において、
前記開閉弁が固定ディスクと可動ディスクとを備える摺動弁であることを特徴とする。
【００３４】
請求項６の発明によると、開閉弁としてコンパクト化が容易な摺動弁を用いるため、水栓の設計の自由度を更により一層、高めることができる。つまり、摺動弁であれば、その主要部をなす弁体（固定ディスク及び可動ディスク）自体の薄肉化が容易で、しかも、弁の開閉に際して弁体のリフトを必要としない。このため、摺動弁を用いると、開閉弁のコンパクト化が可能である。よって、水栓本体において、開閉弁の配置スペースが大きくならないため、水栓本体、ひいては、水栓の設計の自由度を更により一層、高めることができる。
【００３５】
ここで、本出願において、「摺動弁」とは、例えば、「互いに摺動して流路の開閉を行う固定ディスクと可動ディスクとを用いて構成される弁（弁装置）」を指す。尚、請求項１〜請求項５の発明では、開閉弁として「摺動弁」以外の弁装置を用いることもできる。例えば、リフト方式の弁装置（対向する一対の弁口に対して弁体を進退させて吐止の選択及び吐水量調節を行う弁装置）等を用いることもできる。また、請求項１〜請求項６の発明の「開閉弁」は、吐止の選択のみを行ってもよいし、吐止の選択と共に吐水量調節を行ってもよい。
【発明の効果】
【００３６】
以上のように、本各発明によると、設計の自由度が高められる水栓が得られる。
【発明を実施するための最良の形態】
【００３７】
次に、本各発明に係わる「水栓」の最良の形態（以下、「実施例」という。）を図面に従って詳細に説明する。
【００３８】
本水栓１は、図１に示すように、デッキ部（台部）２に設置して使用されるデッキタイプの単水栓である。この水栓１は、水栓本体１０と、開閉弁５０と、吐水手段７０と、操作ハンドル８０とを備えている。また、水栓本体１０は、外郭を構成する外郭体２０と、この外郭体２０に上半側部分を遊入しつつ、流路を形成する内部流路部材３０と、を備えている。
【００３９】
外郭体２０は、機械加工（切削加工等）によって作製されるものであり、上下方向（軸心方向）に長尺状の略円筒体を用いて構成されると共に、上端と下端に開口部２１、２２を有している。この外郭体２０では、上端側（上端の開口部２１に近接する部位）の部分を弁固定部２０ａとし、下端側（下端の開口部２２に近接する部位）の部分を雌型接続部２０ｂとすると共に、その他の部分（弁固定部２０ａと雌型接続部２０ｂとでサンドイッチされた部分）を第１の筒状部２０ｃとしている。
【００４０】
弁固定部２０ａの内径は、その下方に位置する第１の筒状部２０ｃの内径に比べて段差状に小さくされている。そして、この弁固定部２０ａの内壁には、後述する開閉弁５０を螺合固定するための雌ネジ部２４が設けられている。更に、雌型接続部２０ｂの内径は、その上方に位置する第１の筒状部２０ｃの内径よりも段差状に大きくされている。そして、この雌型接続部２０ｂの上半側の内壁には、雌ネジ部２５が形成されている。
【００４１】
第１の筒状部２０ｃの側面において、その上下方向（軸心方向）に沿った下方側の部位には開口孔２３が設けられている。そして、この下方側の部位には、吐水手段７０が、その軸心を上がり傾斜状としつつ、突設固定されている。この吐水手段７０は所謂「カラン」であると共に、その内部空間を開口孔２３によって外郭体２０内に連通させている。尚、開口孔２３は、後述するように、「吐水流路１５」の２次側の端部を構成する。また、本実施例では、外郭体２０とは別体の吐水手段７０を、外郭体２０に後付け固定して一体化しているが、吐水手段７０を外郭体２０の一部として一体形成してもよい。この場合、吐水手段７０の端末部が、「吐水流路１５」の２次側の端部を構成する。
【００４２】
内部流路部材３０は、外郭体２０と別体で構成されつつ、水栓本体１０内に給水流路１３を構成すると共に、この給水流路１３と吐水流路１５とを区画する隔壁部を構成するものである。この内部流路部材３０も、機械加工（切削加工等）によって作製されるものであり、上下方向（軸心方向）に長尺状の略円筒体を用いて構成されると共に、上端と下端に開口部３１、３２を有している。
【００４３】
この内部流路部材３０の内径は、上下方向（軸心方向）に沿って略一定とされている。また、この内部流路部材３０は、上下方向（軸心方向）に沿った中間には外径が略鍔状に拡大された径大部３０ｃが設けられ、この径大部３０ｃよりも上方に位置する部位を第２の筒状部３０ａとすると共に、径大部３０ｃよりも下方に位置する部位を配管接続部３０ｂとしている。
【００４４】
第２の筒状部３０ａの外径は、第１の筒状部２０ｃの内径よりも小さくされている。また、第２の筒状部３０ａの全長（軸心方向に沿った長さ）は、第１の筒状部２０ｃの全長（軸心方向に沿った長さ）よりも短くされている。更に、第２の筒状部３０ａの上端面３１ｂ（つまり、内部流路部材３０の上端面）は平滑面とされている。
【００４５】
径大部３０ｃの外周面において下端側を除く部位には、前述の「雌型接続部２０ｂの雌ネジ部２５」と螺合可能な雄ネジ部３３が設けられている。また、径大部３０ｃの外周面において下端側の部位には周回溝が設けられ、この周回溝には、シール用のパッキン３３ａが装着されている。更に、配管接続部３０ｂの外周面には、雄ネジ部３５が設けられている。
【００４６】
以上のように構成される外郭体２０と内部流路部材３０とは以下のように組み付けられている。つまり、第２の筒状部３０ａの上端面３１ｂを先頭にして、外郭体２０の下端の開口部２２を通じて、第２の筒状部３０ａを第１の筒状部２０ｃの内部に遊入すると共に、径大部３０ｃの雄ネジ部３３を雌型接続部２０ｂの雌ネジ部２５に螺合すると、外郭体２０及び内部流路部材３０の組付を完了し、水栓本体１０を完成する。このように、本実施例では、機械加工（切削河口）を用いて作製容易な２つの管状体（外郭体２０及び内部流路部材３０）を組み合わせることで、水栓本体１０を簡単に完成する。
【００４７】
完成した水栓本体１０においては、内部流路部材３０の内部空間によって、流路断面（流路の経路方向に直交する横断面）が略円形の給水流路１３を構成する。また、第２の筒状部３０ａの外壁と第１の筒状部２０ｃの内壁との間には空間が形成され、この空間によって流路断面（流路の経路方向に直交する横断面）が略円環状の吐水流路１５が構成される。また、この水栓本体１０では、第１の筒状部２０ｃの奥端部２０ｅと、第２の筒状部３０ａの上端面３１ｂとの間に略円柱状の「空き空間６」が形成される。そして、この空き空間６と、弁固定部２０ａの内部空間とが連通して、開閉弁５０が配置される弁配置部位１１（弁装着部位）を構成する。
【００４８】
この水栓本体１０では、内部流路１２として、弁配置部位１１の一次側に設けられる給水流路１３（一次側流路）と、弁配置部位１１の二次側に設けられる吐水流路１５とを備えている。また、吐水流路１５を、給水流路１３の一次側へ逆行させる「逆行型」に構成している。そして、給水流路１３と、この逆行型の吐水流路１５とが併設される部位（例えば、略平行に並ぶ部位）の略全域（つまり、第１の筒状部２０ｃの内部に、第２の筒状部３０ａが遊入されている部分全体）が、「二重構造の流路断面を具備する部分」とされている。
【００４９】
つまり、図２に示すように、給水流路１３の二次側の端部１３ａと、吐水流路１５の一次側の端部１５ａとが同一横断面に並んで構成される流路端部１８のみならず、給水流路１３と、この逆行型の吐水流路１５とが併設される部位の略全域が、「二重構造の流路断面を具備する部分」とされている。
【００５０】
次に、図２〜図５を用いて、水栓本体１０の弁配置部位１１に配置される開閉弁５０について簡単に説明する。この開閉弁５０は摺動弁を用いて構成されており、図２に示すように、ハウジング５１と、スピンドル５２と、固定ディスク５３と、可動ディスク５５とを備えている。
【００５１】
ハウジング５１は、図２に示すように、前後両端に開口部５１ａ、５１ｂを有する略筒状に構成されると共に、ハウジング本体５１ｃと、ハウジング本体５１ｃの後端に着脱自在に装着されるリング部材５１ｄとを備える。また、ハウジング本体５１ｃの外周面のうちで、前後方向に沿った中間の部位からは、フランジ部５１ｐが突出している。更に、ハウジング本体５１ｃの外周面のうちで、フランジ部５１ｐの後方の部位には、弁固定部２０ａの雌ネジ部２４に螺合可能な雄ネジ部５１ｅが設けられている。また、ハウジング本体５１ｃの外周面のうちで、雄ネジ部５１ｅの後方の部位には、ハウジング本体５１ｃの内外を連通させる開口孔５１ｍが設けられている。尚、この開口孔５１ｍは、ハウジング本体５１ｃの周方向に沿った２カ所に設けられている。
【００５２】
ハウジング本体５１ｃにおいて、フランジ部５１ｐよりも前方の部位が、スピンドル５２を回動可能に支持するための軸受け部５１ｎを構成する。尚、ハウジング５１前端の開口部５１ａは、軸受け部５１ｎの前端に設けられ、ハウジング５１後端の開口部５１ｂは、リング部材５１ｄに設けられる。そして、ハウジング５１後端の開口部５１ｂが、請求項１の発明の「流入口（給水流路１３に連通する流入口）」の具体例を構成する。また、ハウジング本体５１ｃの開口孔５１ｍは、請求項１の発明の「流出口（吐水流路１５に連通する流出口）」の具体例を構成する。
【００５３】
リング部材５１ｄの表裏面（前面及び後面）には、開口部５１ｂを周回状に抱囲する周回溝が設けられ、これらの周回溝には、それぞれ、リング状のパッキン５１ｆ、５１ｇが装着されている。
【００５４】
スピンドル５２は、前半部を構成する軸部５２ａと、後半部を構成する駆動伝達部５２ｂとを備えている。そして、軸部５２ａの一端側の外周面には、雄型のセレーション部５２ｃが設けられ、この外周面においてセレーション部５２ｃの後方側の部位には３つの周回溝が設けている。また、これらの周回溝のそれぞれには、リング状のパッキン５２ｇが装着されている。更に、駆動伝達部５２ｂの後端部は、横断面が略矩形状の係合突起５２ｄとされている。
【００５５】
このスピンドル５２は、セレーション部５２ｃを開口部５１ａによってハウジング５１（ハウジング本体５１ｃ）の前方に露呈させると共に、３つのパッキン５２ｇを軸受け部５１ｎの内壁に摺接させて状態で、ハウジング５１に組み込まれている。
【００５６】
固定ディスク５３はセラミックを用いて構成されると共に、図２に示すように、略円板形状を備える。この固定ディスク５３は、図３（ａ）に示すように、前面（上面）を可動ディスク５５が摺動する摺動面５３ａとし、後面（下面）を前述のリング部材５１ｄの前面によって支持されている。この固定ディスク５３は、上下面を貫通する状態に、２つの通過孔５３ｃを備えている。そして、これらの通過孔５３ｃは、固定ディスク５３の周方向に沿って略１８０度隔てた位置に設けられると共に、平面形状が略扇形状とされている。
【００５７】
図３（ａ）に示すように、この固定ディスク５３の外周面において周方向に沿って略１８０度隔てた位置には、それぞれ位置決め突起５３ｄが設けられている。そして、この固定ディスク５３は摺動面５３ａを前方を向け、「反摺動面５３ａ側の面（後面）」を後方に向けた状態で、ハウジング本体５１ｃの後端からハウジング本体５１ｃ内に挿入されている。このとき、２つの位置決め突起５３ｄが、ハウジング本体５１ｃの内壁の係止部（図示を省略するが、例えば、溝状のもの）に係止され、固定ディスク５３の軸心回りの位置決めがなされる。
【００５８】
このように、固定ディスク５３がハウジング本体５１ｃに挿入された状態でリング部材５１ｄがハウジング本体５１ｃの後端に装着されているが、図２に示すように、リング部材５１ｄ表面側の「リング状のパッキン５１ｆ」が、「反摺動面５３ａ側の面（後面）」の周縁側の部位に水密状に圧接される。このとき、固定ディスク５３の通過孔５３ｃは、リング部材５１ｄの開口部５１ｂを通じて、ハウジング５１の後方へ開放された状態とされる。
【００５９】
可動ディスク５５もセラミックを用いて構成されると共に、図３（ｂ）及び（ｃ）に示すように、平面形状が略長円型の板状体に構成されている。この可動ディスク５５は、前面（上面）を係合面５５ａとし、後面（下面）を「固定ディスク５３の摺動面５３ａ」と摺動する摺動面５５ｂとしている。また、図３（ｂ）、（ｃ）、図４（ａ）及び（ｂ）に示すように、可動ディスク５５の各長辺に沿う部位に切り欠き状の連通路５５ｃが設けられている。この連通路５５ｃは、可動ディスク５５において、摺動面５５ｂと外周面とで開口するが、係止面５５ａでは開口しない。つまり、可動ディスク５５の各長辺に沿って設けられた２つの連通路５５ｃは、それぞれ、摺動面５５ｂにおいて略Ｖ字状に開口すると共に、可動ディスク５５の外周面において略矩形状に開口している。
【００６０】
可動ディスク５５の係合面５５ａには、平面形状が略矩形状（長尺型の略矩形状である。）の係合穴５５ｄが、可動ディスク５５の前方（上方）に開口している。この係合穴５５ｄには、前述のスピンドル５２の係合突起５２ｄが嵌合（係合）可能とされている。そして、この可動ディスク５５は、固定ディスク５３と互いの摺動面５５ｂ、５３ａを当接させ、しかも、可動ディスク５５の軸心を固定ディスク５３の軸心と同軸状に位置合わせした状態でハウジング５１内に収納されている。
【００６１】
但し、本実施例では、図２に示すように、ハウジング５１内に収納される可動ディスク５５と、スピンドル５２との間にディスク押さえ５６を配置している。このディスク押さえ５６は、図３（ｃ）及び図４（ｃ）に示すように、略円板状に構成されると共に、後面（下面）において略１８０隔てた位置から「ディスク把持用の突起５６ａ」を垂下させている。これらの突起５６ａは、平滑な把持面５６ｂを相互に対向させている。そして、この対向する２つの把持面５６ｂの距離は、可動ディスク５５の長辺間の距離と等しくされている。また、ディスク押さえ５６には略矩形状の貫通孔５６ｃが上下面を貫通する状態に設けられている。この貫通孔５６ｃは、把持面５６ｂと略平行に形成されている。
【００６２】
可動ディスク５５は、図３（ｃ）等に示すように、その係合面５５ａの側をディスク押さえ５６で把持されている。つまり、ディスク押さえ５６の後面（下面）と、可動ディスク５５の係合面５５ａとを当接させると共に、２つのディスク把持用の突起５６ａの把持面５６ｂで可動ディスク５５の長辺側の側面部を把持した状態とされる。そして、可動ディスク５５の係合穴５５ｄは貫通孔５６ｃを通じてディスク押さえ５６の前方（上方）に開放される。そして、この状態にて係合穴５５ｄには、貫通孔５６ｃを通じてディスク押さえ５６の前方から係合突起５２ｄが係合（嵌合）されている。
【００６３】
この開閉弁５０では、図２に示すように、スピンドル５２と、可動ディスク５５と、この可動ディスク５５を把持するディスク押さえ５６と、固定ディスク５３とが、同軸状とされつつ、ハウジング５１に収納されている。尚、スピンドル５２の軸部５２ａにおいて、雄型のセレーション部５２ｃと、リング状のパッキン５２ｇとの間の部位には周回溝が設けられ、この周回溝にはＥリング５８が弾性係合されている。
【００６４】
ハウジング５１の前方（上方）に露呈するスピンドル５２の雄型のセレーション部５２ｃには、操作ハンドル８０の雌型のセレーション部（図示を省略）がセレーション嵌合されている。そして、操作ハンドル８０を回転操作すると、図５（ａ）に示すように、スピンドル５２の回転駆動力がディスク押さえ５６と、可動ディスク５５に伝達される。これにより、可動ディスク５５は、固定ディスク５３上で摺動し、開閉弁５０の流路の開閉を行う。尚、開閉弁５０の流路（流路口と流出口とに連通する流路）は、通過孔５３ｃと、連通路５５ｃとで構成される。
【００６５】
この開閉弁５０では、図５（ｂ）に示すように、固定ディスク５３の通過孔５３ｃが摺動面５３ａの側で閉鎖されると閉弁状態となる。つまり、「通過孔５３ｃの摺動面５３ａ側の開口」が、「可動ディスク５５における連通路５５ｃの非形成部」で閉鎖されている場合、この開閉弁５０は閉弁状態となり、給水流路１３と吐水流路１５は遮断された状態となる。一方、可動ディスク５５を固定ディスク５３上で摺動状態で回転させ、図５（ｃ）に示すように、通過孔５３ｃと連通路５５ｃとを連通させると、この開閉弁５０は開状態となり、給水流路１３と吐水流路１５は連通する状態となる。このときの開閉弁５０の開弁度（弁開放量）は、「通過孔５３ｃの摺動面５３ａ側の開口」の開放面積に比例して決定される。
【００６６】
次に、本水栓１の施工例を述べる。先ず、デッキ部（台部）２にその上下面を貫通する取付孔２ａを設ける（図１を参照）。一方、水栓本体１０の組み立て（外郭体２０と内部流路部材３０との組み付け）と、この水栓本体１０への開閉弁５０の取付を行う。尚、開閉弁５０の取付は、スピンドル５２の前端を上方に向け、ハウジング５１の後端を下方に向けつつ、ハウジング５１においてフランジ部５１ｐよりも後方側の部分を弁配置部位１１に旋回状に挿入し、ハウジング５１の雄ネジ部５１ｅを、弁固定部２０ａの雌ネジ部２４に螺合することによって行われる。そして、フランジ部５１ｐの後端面が、外郭体２０の上端面に当接すると、開閉弁５０の取付を完了する。
【００６７】
このとき、ハウジング５１においてフランジ部５１ｐから前方側の部分が、スピンドル５２のセレーション部５２ｃと共に水栓本体１０の上方に突出す。また、ハウジング５１においてフランジ部５１ｐの後方側の部分が、前述の「空き空間６」に挿入されると共に、ハウジング５１の後端面は、第２の筒状部３０ａの上端面３１ｂと当接する。そして、ハウジング５１においてフランジ部５１ｐの後方側の部分の外周面と、外郭体２０の内壁との間には、略円環状の空間部分６ｂ（図２を参照）が存在すると共に、開口孔５１ｍが、この空間部分６ｂを介して吐水流路１５に連通する。
【００６８】
また、ハウジング５１の後端の開口部５１ｂ（リング部材５１ｄの開口部５１ｂ）が、第２の筒状部３０ａと同軸状に位置合わせされると共に、ハウジング５１の後端面（リング部材５１ｄの後面）と、第２の筒状部３０ａの上端面３１ｂとの間の水密性が、リング状のパッキン５１ｇによって確保される。このとき、内部流路部材３０の内部空間で構成される給水流路１３と、開閉弁５０の流入口（ハウジング５１の後端の開口部５１ｂ）とが連通した状態となる。
【００６９】
続いて、水栓本体１０の配管接続部３０ｂを、デッキ部（台部）２の上方から下方へ、取付孔２ａを通じて挿入する。そして、デッキ部（台部）２の下方で配管接続部３０ｂに固定部材（固定用のナット）８を螺合し、この固定部材（固定用のナット）８と水栓本体１０の下端面とで、デッキ部（台部）２を挟持して、水栓１のデッキ部（台部）２への取付が行われる。更に、デッキ部（台部）２の下方において、配管接続部３０ｂに水道配管の端末部Ｔを接続する。また、デッキ部（台部）２の上方においては、スピンドル５２の雄型のセレーション部５２ｃに、操作ハンドル８０の雌型のセレーション部（図示を省略）をセレーション嵌合すると、本水栓１は使用可能な状態となる。
【００７０】
尚、図１に示すように、水栓本体１０の下端面（径大部３０ｃの下面）とデッキ部（台部）２の上面との間や、固定部材（固定用のナット）８とデッキ部（台部）２の下面との間には、シール部材９ａ、９ｂが配置される。また、固定部材（固定用のナット）８とシール部材９ｂとの間には、ワッシャ９ｃが配置される。
【００７１】
この水栓１においては、操作ハンドル８０に開放操作を施すと、開閉弁５０が開弁状態となる。これにより、水道配管の端末部Ｔから給水流路１３に給水される水が、開閉弁５０の流路（通過孔５３ｃと連通路５５ｃとで構成）と、空間部分６ｂと、吐水流路１５とを通過した後、吐水手段７０から吐水される。一方、操作ハンドル８０に閉鎖操作を施すと、開閉弁５０が閉弁状態となる。これにより、開閉弁５０の流路が閉鎖され、吐水手段７０を通じた吐水が停止される。
【００７２】
本実施例によると、給水流路１３と、逆行型の吐水流路１５とを備える内部流路１２を具備する水栓１において、設計の自由度を高めることができる。つまり、本実施例の水栓本体１０では、「内部流路１２において流路の折り返し部分を構成する流路端部１８」ばかりか、「給水流路１３と、逆行型の吐水流路１５とが略平行に並ぶ部位の略全域」が、「二重構造の流路断面を具備する部分」とされる。このため、「共に円形の流路断面を備える給水流路１３と、吐水流路１５とを」単に併設する態様に比べて、「水栓本体１０の横断面積を抑制しつつも吐水流路１５の流路断面の面積を確保すること」が容易である。
【００７３】
つまり、仮に、本実施例と異なり、「給水流路の円形の横断面部と、吐水流路の円形の横断面部」を、水栓本体１０の同一の横断面に単に併設する場合には、この水栓本体１０の横断面を、「２つの円形の横断面部」を横方向に並べて形成可能なサイズとすることが必要である。このため、水栓本体１０のコンパクト化が困難である。即ち、水栓本体１０の横断面の直径を、「２つの円形の横断面部の直径を合わせ寸法」を超える寸法とすることが必要である。このため、水栓本体１０の横断面を、図６（ａ）の一点鎖線（比較例に係る水栓本体１０の外縁部を例示する線）Ｌに示すように、十分なサイズとすることが必要である。
【００７４】
一方、図６（ａ）の実線Ｍ（実施例に係る水栓本体１０の外縁部を例示する線）に示すように、給水流路１３の横断面部を、吐水流路１５の横断面部で抱囲する場合（取り囲む状態とする場合）には、水栓本体１０の横断面のサイズを小さくすることができる。即ち、「略円形の横断面部Ｇ１（給水流路１３の横断面部）」の外側に、略円環状の隔壁部の横断面部Ｇ２（第２の筒状部３０ｃの横断面部）を挟んで、「略円環状の横断面部Ｇ３（吐水流路１５の横断面部）」を配置する態様によると、円形の横断面部を２つ並べる態様に比べて、水栓本体１０の横断面のサイズを小さくすることが容易であるからである。
【００７５】
このように、本実施例によると、水栓本体１０に「逆行型の吐水流路１５」を形成しつつ、水栓本体１０の横断面積を抑制し、水栓本体１０を細くスマートな外形とすることができる。また、別体の筒状体（外郭体２０及び内部流路部材３０）を利用して、給水流路１３と、吐水流路１５とを構成するため、水栓１の設計の自由度を更に高めることができる。特に、本実施例では、水栓本体１０を構成する外郭部２０と、内部流路部材３０とを切削加工に依存して作製するため、鋳造（鋳物）に依存して作成する場合に比べて、肉厚を薄くできると共に、水栓本体１０の作製も容易である。このため、水栓本体１０、ひいては、水栓１の製造コストの低廉化や軽量化等を図ることもできる。
【００７６】
尚、本実施例では、同一の外郭体３０や内部流路部材３０を、種々の態様の水栓１において汎用的に用いることもできる。つまり、本実施例では、外郭体３０に内部流路部材３０を挿入して水栓本体１０を構成するため、態様が異なる（形状、外形、サイズ等が異なる）外郭体３０と内部流路部材３０とを組み合わせて種々の態様の水栓１を得ることができる。
【００７７】
また、本実施例では、開閉弁５０として、コンパクト化が容易な摺動弁を用いるため、水栓１の設計の自由度を更により一層、高めることができる。つまり、摺動弁であれば、その主要部をなす弁体（固定ディスク５３及び可動ディスク５５）自体の薄肉化が容易で、しかも、弁の開閉に際して弁体のリフトが必要とならないため、コンパクト化が可能である。このため、水栓本体１０において、開閉弁５０の配置スペースが大きくならないため、水栓本体１０、ひいては、水栓１の設計の自由度を更により一層、高めることができる。
【００７８】
尚、本各発明の範囲は前記各実施例に示す具体的な態様に限定されず、本各発明の範囲内で種々の変形例を例示できる。即ち、本実施例と異なり、外側の流路が、内側の流路を完全に取り囲まずに抱囲してもよい。例えば、図６（ｂ）に示すように、略円形の流路断面を備える給水流路１３を、略円弧状の流路断面を備える吐水流路１５が抱囲してもよい。
【００７９】
また、本実施例と異なり、各発明を湯水混合水栓に対して適用することもできる。例えば、図７（ａ）に示すように、水供給用の給水流路１３ａの外側を略円環状の流路断面を備える湯供給用の給水流路（給湯流路）１３ｂが抱囲し、更に、湯供給用の給水流路（給湯流路）１３ｂの外側を略円環状の流路断面を備える吐水流路１５が抱囲する態様や、これらの流路の配置順（何れを外側にするかという配置順）を変更する態様を例示できる。
【００８０】
更に、水供給用の給水流路１３ａと、湯供給用の給水流路（給湯流路）１３ｂの外側を、吐水流路１５が抱囲する態様等を例示する態様や、これらの流路の位置関係（何れの２つを内側とするかという位置関係）を変更する態様を例示できる。
【００８１】
また、本実施例では、一次側の流路（給水流路１３）の経路と、二次側の流路（吐水流路１５）の経路とが略鉛直方向に形成された具体例を例示したが、一次側の流路（給水流路１３）及び二次側の流路（吐水流路１５）の経路はこれに限定されない。例えば、これらの経路が傾斜方向若しくは横方向に形成されたり、円弧状等に形成されてもよい。また、一次側の流路（給水流路１３）及び二次側の流路（吐水流路１５）の経路には、略鉛直方向に形成された部分と、傾斜方向に形成された部分と、横方向に形成された部分と、円弧状に形成された部分とのうちの２つ以上が混在してもよい。更に、本実施例では、デッキタイプの水栓１を例示したが、各請求項の発明が適用される水栓のタイプはこれに限定されない。例えば、壁付きタイプ等の他のタイプの水栓であってもよい。
【００８２】
なお、本各発明は寒冷地用として適用した場合により好適である。寒冷地に水栓を適用する場合には給水流路途中に水抜き栓を設けることが行われている。そして、凍結が予想されるときには、水抜き栓を開放し、給水流路内の水を排出して凍結に備えている。この場合、吐水流路内に多量の水が残っているとその残水が凍結し、改めて水栓から吐水したいときには長時間の解凍時間を余儀なくされる。しかし、本各発明では吐水流路の断面積を小さくできるから、吐水流路内の残水を少なくすることができ、凍結が起きたときでも凍結量は少なくなり、解凍時間を短縮することができるからである。
【産業上の利用可能性】
【００８３】
本発明は、例えば、水栓の製造、販売、施工、加工等を行う分野で利用可能である。
【図面の簡単な説明】
【００８４】
【図１】実施例の水栓の縦断面図である。
【図２】本実施例の開閉弁の縦断面図である。
【図３】（ａ）は本実施例の開閉弁を構成する固定ディスクの平面図、（ｂ）は本実施例の開閉弁を構成する可動ディスクの平面図、（ｃ）は本実施例の開閉弁を構成するスピンドルと、ディスク押さえと、可動ディスクとの関係を示す縦断面図｛図３（ｂ）のｂ−ｂ断面に相当する。｝である。
【図４】（ａ）は本実施例の開閉弁を構成する可動ディスクの底面図、（ｂ）は本実施例の開閉弁を構成する可動ディスクの横断面図｛図３（ｃ）のｃ−ｃ断面に相当する。｝、（ｃ）は本実施例の開閉弁を構成するディスク押さえの平面図である。
【図５】（ａ）は本実施例の開閉弁において可動ディスクの可動状態等を説明するための説明図、（ｂ）は本実施例の開閉弁において閉弁状態を示す説明図、（ｃ）は本実施例の開閉弁において開弁状態を示す説明図である。
【図６】（ａ）は実施例において二重構造の流路断面を説明するための説明図、（ｂ）は実施例の第１の変形例において二重構造の流路断面を説明するための説明図である。
【図７】（ａ）は実施例の第２の変形例において二重構造の流路断面を説明するための説明図、（ｂ）は実施例の第３の変形例において二重構造の流路断面を説明するための説明図である。
【図８】（ａ）は本発明に係る水栓と対比される具体例に係る水栓本体の概略的な縦断面、（ｂ）は図８（ａ）の水栓本体の概略的な横断面である。
【図９】本発明に係る水栓と対比される他の具体例に係る水栓本体の概略的な縦断面である。
【符号の説明】
【００８５】
１；水栓、
１０；水栓本体、
１１；弁配置部位、
１２；内部流路、
１３；給水流路、
１５；吐水流路、
１８；流路端部、
５０；開閉弁、
５１ａ；開口部（流入口）、
５１ｍ；開口孔（流出口）、
５３ｃ及び５５ｃ；流路、
７０；吐水手段。
【図１】
2006037582.tif 000003
【図２】
2006037582.tif 000004
【図３】
2006037582.tif 000005
【図４】
2006037582.tif 000006
【図５】
2006037582.tif 000007
【図６】
2006037582.tif 000008
【図７】
2006037582.tif 000009
【図８】
2006037582.tif 000010
【図９】
2006037582.tif 000011